(57)【要約】【課題】少ない部品数でアームの数を容易に調整でき、製造工数やコストの低減も可能で、商品配列などの変更にも迅速に対応できる商品陳列用フックとこれに用いる商品用吊り下げアームとを提供する。【解決手段】ネジ結合可能な左右一対の樹脂半体２ａ，２ｂからなり、係る一対の樹脂半体２ａ，２ｂは、水平なバー材２９を嵌合する下向きの凹部９ａ，９ｂと、互いの接合面５ａ，５ｂにおいて正面３ａ，３ｂ側に開口するほぼ水平な第１の凹溝１０ａ，１０ｂと、係る第１の凹溝１０ａ，１０ｂの後端側に連通し且つほぼ垂直に形成され上端が樹脂半体２ａ，２ｂの上面６ａ，６ｂに開口する第２の凹溝１２ａ，１２ｂと、をそれぞれ備えている、商品陳列用フック１。【選択図】　図１
2004073526.tif 000002
【特許請求の範囲】
【請求項１】
ネジ結合可能な左右一対の樹脂半体からなり、
上記一対の樹脂半体は、水平なバー材を嵌合する下向きの凹部と、互いの接合面において正面側に開口するほぼ水平な第１の凹溝と、
係る第１の凹溝の後端側に連通し且つほぼ垂直に形成され上端が各樹脂半体の上面に開口する第２の凹溝と、をそれぞれ備えている、
ことを特徴とする商品陳列用フック。
【請求項２】
ネジ結合可能な左右一対の樹脂半体からなり、
上記一対の樹脂半体は、線材を縦横方向に配置したネットの水平線に掛かる掛かり部と、
互いの接合面において正面側の上下に両端が開口する側面視がほぼコの字形の凹溝と、をそれぞれ備えている、ことを特徴とする商品陳列用フック。
【請求項３】
前記左右一対の樹脂半体は、互いの接合面において相互に嵌合可能な凹所および凸片の何れか一方を有する、
ことを特徴とする請求項１または２に記載の商品陳列用フック。
【請求項４】
前記左右一対の樹脂半体は、前記凹部の周辺に沿って断面ほぼＬ字形またはコ字形の金属補強板を埋設するか、あるいは前記掛かり部の内側にほぼ逆Ｕ字形の金属補強板を埋設している、
ことを特徴とする請求項１乃至３の何れか一項に記載の商品陳列用フック。
【請求項５】
請求項１乃至４の何れか一項に記載の商品陳列用フックに用いる商品吊り下げ用アームであって、
先端の傾斜部と、中間の水平部と、後端側に位置し且つ側面視でほぼＬ字形またはコ字形を呈する後端部とを有し、中心部に沿って配置した金属棒と、掛かる金属棒の両端を含む周囲を被覆する合成樹脂と、を含み、
上記後端部の付近が前記商品陳列用フックにおける一対の樹脂半体の凹溝同士の間に挟持される、ことを特徴とする商品吊り下げ用アーム。
【発明の詳細な説明】
【０００１】
【発明の属する技術分野】
本発明は、上端にハンガーまたは貫通孔などを有するパッケージにより包装された商品などを多数陳列するための商品陳列用フックおよびこれに用いる商品吊り下げ用アームに関する。
【０００２】
【従来の技術】
多数の商品を効率良く陳列するため、これらの商品を包装するパッケージの上端に設けたハンガーまたは貫通孔により、水平な金属製のアームに吊り下げる方法が広く行われている。例えば、図７（Ａ）に示す商品陳列具８０が用いられている。この陳列具８０は、図７（Ａ）に示すように、角形鋼管からなる水平なバー材８９に、下向きの凹部８３により嵌合する断面ほぼコ字形のフック８２と、このフック８２の上面に、後端部８６を溶接Ｗした金属製のアーム８４と、を備えている。アーム８４の先端には、曲げ加工による緩い傾斜片８５が位置する。
【０００３】
また、図７（Ｂ）に示す商品陳列具８１も用いられている。この陳列具８１は、図７（Ｂ）に示すように、上記と同じフック８２と、これに上記同様に溶接Ｗされ且つ先端に傾斜片８５を有し且つ後端の垂直片８８で連結した平行な長短一対のアーム８４，８７と、を備えている。上記フック８２は、鋼板を曲げ加工したもので、上記アーム８４，８７は、細径の棒鋼の両端を半球面状に面取りした後、曲げ加工したものである。図７（Ｂ）で上側のアーム８７は、その傾斜片８５に、図示しない商品表示プレートを嵌め込み、これを支持するのに用いられる。
上記陳列具８０，８１のフック８２とアーム８４，８７とは、上記溶接Ｗの後で、全体を例えばクロムメッキにより防錆処理される。
【０００４】
一方、図７（Ｃ），（ｃ）に示ように、複数の水平線と複数の垂直線とを格子状に配置し且つ各交点でスポット溶接した金属製のネットＮに、支持するための商品陳列具９０も用いられている。この陳列具９０は、ネットＮの水平線に掛かる一対の掛かり部９８および掛かり溝９９を上端に有するベース板９７と、このベース板９７に後端の垂直片９４が溶接Ｗされて固定されるアーム９２と、を備えている。係るアーム９２の先端には、傾斜片９３が位置している。
また、図７（Ｄ）に示す商品陳列具９１も用いられている。この陳列具９１は、図７（Ｄ）に示すように、上記と同じベース板９７と、後端の垂直片９４において溶接Ｗされ且つその上下から水平且つ平行に延び、先端に傾斜片９３，９５を有する長短一対のアーム９２，９６と、を備えている。
上記陳列具９０，９１のベース板９７およびアーム９２，９６も、上記溶接Ｗの後で、全体を例えばクロムメッキにより防錆処理される。
【０００５】
しかし、商品陳列具８０，８１，９０，９１は、１本のアーム８４，９２の場合と、２本のアーム８４，８７またはアーム９２，９６の場合とで使い分ける必要があるため、商品陳列のための構成部品が多くストックが増加する、という問題がある。また、商品陳列具８０，８１，９０，９１毎に、棒鋼両端の面取り、鋼板や棒鋼の曲げ加工、溶接Ｗ、および前記メッキが必要となるため、製造工数が多くコスト高になると共に、全て金属製であるため、重量も大きくなる、という問題もあった。更に、売場の商品構成を変える際には、前記陳列具８０，８１，９０，９１相互を取り替える必要があり、多大の手数や労力を要する。しかも、何れの陳列具も金属メッキされた無機質な表面であるため、売場毎の販売コンセプトに対応しずらかった。
【０００６】
【発明が解決すべき課題】
本発明は、以上の従来の技術における問題点を解決し、少ない部品数でアームの数を容易に調整でき、製造工数やコストの低減も可能で、売場の変更にも迅速に対応できると共に、売場毎の販売コンセプトにも容易に対応し得る商品陳列用フックとこれに用いる商品用吊り下げアームとを提供する、ことを課題とする。
【０００７】
【課題を解決するための手段および発明の効果】
本発明は、上記課題を解決するため、商品を吊り下げるアームとこれを支持するフックとを別体化し且つこれらを組合せると共に、係るアームおよびフックを主に合成樹脂によって形成する、ことに着想して成されたものである。
即ち、本発明の第１の商品陳列用フック（請求項１）は、ネジ結合可能な左右一対の樹脂半体からなり、係る一対の樹脂半体は、水平なバー材を嵌合する下向きの凹部と、互いの接合面において正面側に開口するほぼ水平な第１の凹溝と、係る第１の凹溝の後端側に連通し且つほぼ垂直に形成され上端が各樹脂半体の上面に開口する第２の凹溝と、をそれぞれ備えている、ことを特徴とする。
【０００８】
これによれば、後端部がほぼＬ字形である第１の商品吊り下げ用アームを、その水平部を第１の凹溝に挿入し且つ上記後端部を第２の凹溝のほぼ下半分に挿入した状態で、左右一対の樹脂半体をネジ結合して、その凹部を水平なバー材に掛けて支持することができる。また、後端部がほぼコ字形で且つ傾斜部および水平部を上下に一対ほぼ平行に有する第２の商品吊り下げ用アームを、その下側の水平部を第１の凹溝に挿入し且つ上記後端部を第２の凹溝のほぼ上半分挿入した状態で、左右一対の樹脂半体をネジ結合して、その凹部を水平なバー材に掛けて支持することもできる。即ち、商品を吊り下げる１本の水平部を有する第１の上記アームと、２本の水平部を有する第２の上記アームとを適宜選択して、一対の樹脂半体の凹溝間に挟持してネジ結合することができる。
このため、従来の商品陳列具に比べて在庫すべき部品数を低減でき、製造工数およびコストを減らせる。しかも、全体がほぼ合成樹脂からなるため、軽量で且つ任意の着色や模様付けが可能となる。従って、上記第１のアームおよび第２のアームを選択することで、商品配列や売場の商品構成を容易に変更できると共に、売場毎の販売コンセプトにも容易に対応することが可能となる。
尚、本明細書において、正面とは、上記アームが突出する売場側を指す。
【０００９】
また、本発明の第２の商品陳列用フック（請求項２）は、ネジ結合可能な左右一対の樹脂半体からなり、係る一対の樹脂半体は、線材を縦横方向に配置したネットの水平線に掛かる掛かり部と、互いの接合面において正面側の上下に両端が開口する側面視がほぼコの字形の凹溝と、をそれぞれ備えている、ことを特徴とする。これによれば、第１の商品吊り下げアームにおけるほぼＬ字形の後端部を、上記コの字形の凹溝における上水平部および垂直部のほぼ上半分に挿入した状態で、左右一対の樹脂半体をネジ結合して、その掛かり部をネットの水平線に掛けて支持することができる。また、傾斜部および水平部を上下に一対ほぼ平行に有する第２の商品吊り下げアームにおけるほぼコ字形の後端部を、上記コの字形の凹溝の全体に挿入した状態で、左右一対の樹脂半体をネジ結合して、その掛かり部をネットの水平線に掛けて支持することもできる。
即ち、上記第１および第２の上記アームを選択できるため、従来に比べ在庫すべき部品数を低減でき、製造工数およびコストを減らせる。しかも、全体がほぼ合成樹脂からなるため、軽量で且つ任意の着色や模様付けが可能となる。従って、商品配列や売場の商品構成を容易に変更できると共に、売場毎の販売コンセプトにも容易に対応可能となる。
【００１０】
更に、本発明には、前記左右一対の樹脂半体は、互いの接合面において相互に嵌合可能な凹所および凸片の何れか一方を有する、商品陳列用フック（請求項３）も含まれる。これによれば、上記一対の樹脂半体を、それぞれの凹溝間に前記アームの後端部付近を挟持した状態で両者の接合面を、正確且つ容易に位置合わせすることができる。このため、第１または第２の商品吊り下げ用アームの後端部付近を凹溝間に挟んだ商品陳列用フックを迅速に組立てられるため、商品配列や売場の商品構成の変更に容易に対応することが可能となる。
尚、上記凹所および凸片は、一対の樹脂半体をネジ結合する複数のネジの通し孔や雌ネジ孔の付近に設ける形態の他、掛かるネジの通路から離れた位置の接合面に２つ以上設ける形態も含まれる。
【００１１】
加えて、本発明には、前記左右一対の樹脂半体は、前記凹部の周辺に沿って断面ほぼＬ字形またはコ字形の金属補強板を埋設するか、あるいは前記掛かり部の内側にほぼ逆Ｕ字形の金属補強板を埋設している、商品陳列用フック（請求項４）も含まれる。これによれば、第１の陳列用フックの凹部付近や第２の陳列用フックの掛かり部付近が埋設された上記金属補強板により補強される。このため、これらに支持される第１または第２の商品吊り下げ用アームに多数の商品を吊り下げても、上記凹部や掛かり部の付近において、亀裂や延びなどの塑性変形の発生を確実に防ぎ、長期間にわたり安定した商品陳列機能を果たすことができる。
尚、以上の第１および第２の商品陳列用フックには、次述するアームの他、従来同様の細長い棒鋼を曲げ加工し、且つメッキ処理したものも使用できる。
【００１２】
以上の商品陳列用フックに用いる本発明の商品吊り下げ用アーム（請求項５）は、先端の傾斜部と、中間の水平部と、後端側に位置し且つ側面視でほぼＬ字形またはコ字形を呈する後端部とを有し、中心部に沿って配置した金属棒と、掛かる金属棒の両端を含む周囲を被覆する合成樹脂と、を含み、上記後端部の付近が前記商品陳列用フックにおける一対の樹脂半体の凹溝同士の間に挟持される、ことを特徴とする。これによれば、細長い鋼線を切断し且つ面取りやメッキをせずに曲げ加工した状態で、例えば射出成形金型内にセットし、溶融した樹脂を充填することにより、全体が合成樹脂で覆われ、任意の着色や模様を表面に表したアームとなる。従って、商品吊り下げ用アームを従来の金属製アームよりも軽量化でき、前記第１および第２の商品陳列用フックと調和させることにより、売場自体のカラフル化や販売コンセプトの訴求を一層容易に表現することが可能となる。
尚、上記傾斜部および水平部は、単数の形態および上下一対の形態の双方を含む。また、上記「先端」は売場側を、上記「後端側」は売場の背面側および前記フックの背面側を、それぞれ指称する。
【００１３】
【発明の実施の形態】
以下において、本発明の実施に好適な形態を図面と共に説明する。
図１（Ａ）は、本発明による第１の商品陳列用フック１を示す斜視図、図１（Ｂ），（Ｃ），（Ｆ）は、係るフック１の平面図、底面図、または分解斜視図を示す。
商品陳列用フック１は、図１（Ａ）〜（Ｃ），（Ｆ）に示すように、左右一対の樹脂半体２ａ，２ｂからなり、これらは図示しない売場側に向いた正面３ａ，３ｂと、側面視でほぼ台形の外側面４ａ，４ｂと、互いに接触する接合面５ａ，５ｂと、平面視でほぼ長方形の上面６ａ，６ｂと、底面７ａ，７ｂと、背面８ａ，８ｂと、を備えている。図１（Ａ），（Ｃ），（Ｆ）に示すように、底面７ａ，７ｂには、後述する水平なバー材を嵌合する下向きの凹部９ａ，９ｂが左右方向に沿って連続した下向きの凹部９が形成されている。係る樹脂半体２ａ，２ｂは、例えばポリプロピレン樹脂を射出成形などすることによって成形されたものである。
【００１４】
図１（Ｆ）に示すように、樹脂半体２ａ，２ｂの接合面５ａ，５ｂには、一端が正面３ａ，３ｂに開口する断面ほぼ半円形で且つほぼ水平な第１の凹溝１０ａ，１０ｂと、これら後端側に連通し上端が上面６ａ，６ｂに開口する断面ほぼ半円形で且つほぼ垂直な第２の凹溝１２ａ，１２ｂと、が形成されている。
第１の凹溝１０ａ，１０ｂの後端は、第２の凹溝１２ａ，１２ｂの中間にほぼ直角の角度で接続され、両者は側面視でほぼＴ字形を形成している。図１（Ａ），（Ｃ）に示すように、樹脂半体２ａ，２ｂを接合面５ａ，５ｂで面接触させると、第１の凹溝１０ａ，１０ｂは断面がほぼ円形で水平な第１の固定孔１０を、第２の凹溝１２ａ，１２ｂは断面がほぼ円形で垂直な第２の固定孔１２を形成する。
【００１５】
以上のような樹脂半体２ａ，２ｂは、図１（Ａ），（Ｆ）に示すように、３本のネジ２０によって互いにネジ結合される。図１（Ｆ）に示し且つ図１（Ｄ），（Ｅ）に例示するように、樹脂半体２ａの接合面５ａには、円盤形の凸片１３と、その中心部から外側面４ａに向かって水平に延びる雌ネジ孔１４と、が形成されている。
また、樹脂半体２ｂの接合面５ｂには、上記凸片１３が嵌合する凹所１５と、その中心部から外側面４ｂに向かって水平に延びる通し孔１６と、その外側面４ｂ寄りに位置する円錐部１７および円盤形の段部１８と、が形成されている。
更に、図１（Ｆ）に示すように、ネジ２０は、雄ネジ部２２と、その基端にて傾斜した皿部２３と、頭部２４と、係る頭部２４に設けた＋溝２５と、からなる。
【００１６】
後述するように、第１または第２の商品吊り下げアームを、対向する第１の凹溝１０ａ，１０ｂおよび第２の凹溝１２ａ，１２ｂ間で挟み込むと同時に、３対の凸片１３を凹所１５に個別に嵌合する。係る状態で、樹脂半体２ｂの外側面４ｂからネジ２０の雄ネジ部２２を、樹脂半体２ｂの段部１８、円錐部１７，および通し孔１６を挿通した後、図１（Ｄ）に例示するように、樹脂半体２ａの雌ネジ孔１４にネジ結合する。この際、ネジ２０の皿部２３と頭部２４とは、樹脂半体２ｂの円錐部１７内に位置する。その結果、図１（Ａ）に示すように、正面３ａ，３ｂに第１の固定孔１０の一端が開口し、上面６ａ，６ｂに第２の固定孔１２の上端が開口する商品陳列用フック１を組み立てることができる。
尚、ネジ２０は、２本以上用いれば良い。また、凸片１３および凹所１５は、雌ネジ孔１４や通し孔１６の位置ではない接合面５ａ，５ｂの任意の位置に２組またはそれ以上を有する形態としても良い。
【００１７】
図２（Ａ）の樹脂半体２ａで例示するように、下向きの凹部９ａにおける正面３ａ寄りの周辺に沿って、金属補強板２６が内部に埋設されている。補強板２６は、薄肉鋼板を曲げ加工したもので、長めの垂直片２７と短めの水平片２８とからなり、図示しない樹脂半体２ｂの同じ位置にも同様に埋設されている。尚、補強板２６は、凹部９ａに沿った断面ほぼコ字形としても良い。また、樹脂半体２ａ，２ｂは、前記樹脂からなるため、任意の色彩に着色することができる。
【００１８】
図２（Ｂ）は、本発明による第１の商品吊り下げアーム３０を示す。係るアーム３０は、先端の傾斜部３１と、中間の長尺な水平部３２と、その後端側に位置し且つ側面視でほぼＬ字形を呈する後端部３３とからなる。図２（Ｃ）の断面で例示するように、上記アーム３０は、上記各部の中心部に沿ってほぼ相似形の金属棒３５と、その両端面を含む周囲を被覆する例えばポリプロピレンなどからなる合成樹脂３４との２重構造を有する。因みに、上記各部の外径は約５ｍｍで、金属棒３５の外径は約２〜３ｍｍである。金属棒３５の両端は切断したままで、これを図示しない射出成形機の金型内などにセットし、溶融した樹脂を充填することで、全体が合成樹脂３４で覆われ、任意の着色や模様が表面に表現できる。尚、上記合成樹脂３４を樹脂半体２ａ，２ｂと同じか同様な色彩としても良い。また、水平部３２は、後述するように樹脂半体２ａ，２ｂをネジ結合して得られる第１の商品陳列用フック１に固定された際、水平線よりもやや上向きとされる。
【００１９】
ここで、第１の商品吊り下げアーム３０を第１の商品陳列用フック１に固定する場合について、図２（Ｄ），（Ｅ）に基づいて説明する。
例えば、図２（Ｄ）に示すように、先ず、樹脂半体２ａにおける第１の凹溝１０ａの全長および第２の凹溝１２ａのほぼ下半分に、上記商品吊り下げアーム３０の水平部３２の後端寄りおよび後端部３３を挿入する。次いで、当該樹脂半体２ａの接合面５ａに樹脂半体２ｂの接合面５ｂを面接触させると同時に、前者の複数の前記凸片１３を後者の複数の前記凹所１５に個別に嵌合して位置決めする。
係る状態で、前記ネジ２０の雄ネジ部２２を、樹脂半体２ｂの外側面４ｂから樹脂半体２ｂの段部１８、円錐部１７，および通し孔１６に挿通した後、樹脂半体２ａの雌ネジ孔１４にネジ結合する。この際、樹脂半体２ｂの段部１８に、図示しない樹脂製の蓋を嵌め込み、ネジ２０の頭部２４を目隠ししても良い。
【００２０】
その結果、図２（Ｅ）に示すように、樹脂半体２ａ，２ｂにより組立られる第１の商品陳列用フック１に形成される第１の固定孔１０および第２の固定孔１２のほぼ下半分に、第１の商品吊り下げアーム３０の水平部３２の後端寄りおよび後端部３３が挿入され且つ固定される。図２（Ｄ）に示すように、上記アーム３０を固定した上記フック１の凹部９ａ，９ｂからなる凹部９に、角形鋼管などからなるバー材２９を嵌合して当該フック１およびアーム３０を支持させる。尚、第２の固定孔１２の開口部は、図示しない円盤形状のキャップで閉塞しても良い。
【００２１】
そして、係るアーム３０の水平部３２に、図示しない多数の商品のパケッージまたは商品自体の上端に設けた鈎部などを引っ掛けて吊り下げる。これにより、第１のアーム３０の水平部３２に多数の商品を吊り下げつつ陳列することができる。また、先端の傾斜部３１に上記商品の名称、品種、あるいは価格などを表示する図示しない板状の表示体を取り付けても良い。更に、上記フック１を形成する樹脂半体２ａ，２ｂや上記アーム３０の表面を形成する前記合成樹脂３４を同じ色彩か、同様な色彩、あるいは互いに反対色にして塗り分けることにより、当該売場の販売コンセプトを明確に顧客に訴求することも可能となる。
尚、第１の商品吊り下げアーム３０を、樹脂半体２ｂの第１および第２の凹溝１０ｂ，１２ｂに先に挿入した後、その接合面５ｂに樹脂半体２ａの接合面５ａを接触させ且つをネジ結合するようにしても良い。
【００２２】
図３（Ａ）は、本発明による第２の商品吊り下げアーム３６を示す。係るアーム３６は、下側の先端の傾斜部３１、その中間に位置する長尺な水平部３２、上側の傾斜部３７、その中間に位置する長尺な水平部３８、およびこれらの後端側に位置してこれらを接続し且つ側面視がほぼコ字形を呈する後端部３９とからなる。上側の水平部３８は、下側の水平部３２よりも若干短く、上記各部はその中心部に沿って配置した前記金属棒３５とその周囲を被覆する前記合成樹脂３４とからなる。尚、水平部３２，３８は、後述するように樹脂半体２ａ，２ｂをネジ結合して得られる第１の商品陳列用フック１に固定された際、それぞれ水平線よりもやや上向きとなるように設定されている。
【００２３】
ここで、第２の商品吊り下げアーム３６を第１の商品陳列用フック１に固定する場合について、図３（Ｂ），（Ｃ）に基づいて説明する。
例えば、図３（Ｂ）に示すように、先ず、樹脂半体２ａにおける第１の凹溝１０ａの全長および第２の凹溝１２ａのほぼ上半分に、商品吊り下げアーム３６における下側の水平部３２の後端部寄りおよび後端部３９のほぼ下半分を挿入する。
次に、当該樹脂半体２ａの接合面５ａに樹脂半体２ｂの接合面５ｂを面接触させ、前者の複数の前記凸片１３を、後者の複数の前記凹所１５に個別に嵌合して位置決めする。係る状態で前記と同様に、前記ネジ２０の雄ネジ部２２を、樹脂半体２ｂの外側面４ｂから樹脂半体２ｂの段部１８、円錐部１７，および通し孔１６に挿通した後、樹脂半体２ａの雌ネジ孔１４にネジ結合する。
尚、第２の商品吊り下げアーム３６を、樹脂半体２ｂの第１および第２の凹溝１０ｂ，１２ｂに先に挿入した後、その接合面５ｂに樹脂半体２ａの接合面５ａを接触させ且つをネジ結合するようにしても良い。また、図示しない蓋を樹脂半体２ｂの段部１８に嵌め込み、ネジ２０の頭部２４を目隠ししても良い。
【００２４】
その結果、図３（Ｃ）に示すように、樹脂半体２ａ，２ｂにより第１の商品陳列用フック１が組立てられると共に、これに形成される第１の固定孔１０および第２の固定孔１２のほぼ上半分に、第２の商品吊り下げアーム３６の水平部３２および後端部３９が挿入され且つ固定される。図３（Ｂ）に示すように、上記アーム３６を固定した上記フック１の凹部９を、角形鋼管などからなるバー材２９に嵌合して当該フック１およびアーム３６を支持させる。
そして、下側の水平部３２に図示しない多数の商品のパケッージなどの上端に設けた鈎部を引っ掛けて吊り下げると共に、上側の傾斜部３７に上記商品の名称、品種、あるいは価格などを表示する図示しない板状の表示体を取り付ける。あるいは、上側の水平部３８に高さの小さい商品を併せて吊り下げる。これにより、第２のアーム３６における水平部３２，３８に多数の商品を吊り下げつつ陳列できると共に、上側の傾斜部３７の付近で商品の案内が可能となる。
【００２５】
以上のような第１の商品陳列用フック１によれば、これを形成する樹脂半体２ａ，２ｂにおける第１の凹溝１０ａ，１０ｂおよび第２の凹溝１２ａ，１２ｂの間に、第１の商品吊り下げ用アーム３０または第２の商品吊り下げ用アーム３６を選択して挟み付けることにより、１本の水平部３２または２本の水平部３２，３８を選択して、前記水平なバー材２９に掛けて支持することができる。
このため、従来に比べて在庫すべき部品数を低減でき、製造工数およびコストを減らせる。しかも、フック１を形成する樹脂半体２ａ，２ｂ全体がほぼ合成樹脂からなるため、軽量で且つ任意の着色や模様付けが可能となる。従って、上記第１のアーム３０および第２のアーム３６を選択することで、商品配列や売場の商品構成を容易に変更でき、売場毎の販売コンセプトにも容易に対応できる。
【００２６】
一方、第１および第２の商品吊り下げアーム３０，３６は、従来の金属製アームよりも軽量化でき、前記第１の商品陳列用フック１の色彩と調和させることにより、売場自体のカラフル化や販売コンセプトの訴求を一層容易に表現できる。
尚、第１の商品陳列用フック１には、上記アーム３０，３６の他、従来同様の細長い棒鋼を曲げ加工し、且つメッキ処理したものも使用しても良い。
【００２７】
図４は、本発明による第２の商品陳列用フック４０に関し、図４（Ａ），（Ｂ）は異なる角度からのその斜視図、図４（Ｃ）は上記フック４０の樹脂半体４２ａの右側面図、図４（Ｄ）は図４（Ａ）中のＤ−Ｄ線に沿った矢視における断面図を示す。
商品陳列用フック４０は、図４（Ａ）〜（Ｄ）に示すように、左右一対の樹脂半体４２ａ，４２ｂをネジ結合して組み立てられる。樹脂半体４２ａ，４２ｂは、ポリプロピレンなどの合成樹脂を射出成形などしたもので、正面４３ａ，４３ｂ、外側面４４ａ，４４ｂ、接合面４５ａ，４５ｂ、傾斜した上面４６ａ，４６ｂ、傾斜した底面４７，４７ｂ、および背面４８ａ，４８ｂを有する縦長材である。
【００２８】
樹脂半体４２ａ，４２ｂの上端には、図４（Ａ）〜（Ｃ）に示すように、背面４８ａ，４８ｂ側で且つ斜め下向きに突出する掛かり部５０ａ，５０ｂ、その下側の掛かり溝５１，５１ｂ、およびこれらの間に位置する縦溝５２ａ，５２ｂが配置されている。また、樹脂半体４２ａ，４２ｂの下端には、その底面４７，４７ｂから背面４８ａ，４８ｂ側で且つ斜め下向きに延びる当接片５４ａ，５４ｂと、これらの間に位置する縦溝５５ａ，５５ｂとが位置している。
尚、上記掛かり部５０ａ，５０ｂの内側に、掛かり溝５１，５１ｂの形状に沿ったほぼ逆Ｕ字形の金属補強板をそれぞれ埋設しても良い。
図４（Ｃ）および図５（Ａ）に示すように、樹脂半体４２ａ，４２ｂの接合面４５ａ，４５ｂには、正面４３ａ，４３ｂの上下に両端が開口する側面視でほぼコ字形の凹溝６０ａ，６０ｂが形成されている。係る凹溝６０ａ，６０ｂは、上水平部６２、下水平部６４、およびこれらを後端で接続する垂直部６６とからなる。
【００２９】
更に、図４（Ｂ）〜（Ｅ）および図５（Ａ）に示すように、樹脂半体４２ａの上下端には、通し孔５７、円錐部５８、および段部５９がそれぞれ水平に形成され、通し孔５７の接合面４５ａ側には円盤状の凹所６８が形成されている。一方、樹脂半体４２ｂの上下端には、雌ネジ孔６７がそれぞれ水平に形成され、それらの接合面４５ｂ側には上記凹所６８に嵌合する円柱状の凸片６９が突出している。
図５（Ａ）に示すように、樹脂半体４２ａの外側面４４ａから前記ネジ２０の雄ネジ部２２を、樹脂半体４２ａの段部５９、円錐部５８，および通し孔５７を挿通した後、図４（Ｄ）に示すように、樹脂半体４２ｂの雌ネジ孔６７にネジ結合する。この際、ネジ２０の皿部２３と頭部２４は、樹脂半体４２ａの円錐部５８内に位置する。その結果、図４（Ａ），（Ｂ），（Ｄ）に示すように、正面４３ａ，４３ｂの上下に、前記凹溝６０ａ，６０ｂにより水平な固定孔７０，７２の一端が開口する第２の商品陳列用フック４０を組み立てることができる。尚、図４（Ｄ）に示すように、係るフック４０の内部には、凹溝６０ａ，６０ｂの垂直部６６同士からなる垂直な固定孔７４が位置している。
【００３０】
ここで、前記第１の商品吊り下げアーム３０を第２の商品陳列用フック４０に固定する場合について、図５（Ｂ），（Ｃ）に基づいて説明する。
例えば、図５（Ｂ）に示すように、先ず、樹脂半体４２ａの凹溝６０ａにおける上水平部６２および垂直部６６のほぼ上半分に、第１の商品吊り下げアーム３０の水平部３２の後端寄りおよび後端部３３を挿入する。次に、当該樹脂半体４２ａの接合面４５ａに樹脂半体４２ｂの接合面４５ｂを面接触させると共に、前者の上下の前記凹所６８に、後者の上下の前記凸片６９を個別に嵌合して位置決めする。次いで、前記ネジ２０の雄ネジ部２２を、樹脂半体４２ａの外側面４４ａから段部５９、円錐部５８，および通し孔５７に挿通した後、樹脂半体４２ｂの雌ネジ孔６７にネジ結合する。この際、樹脂半体４２ａの段部５９に、図示しない樹脂製の蓋を嵌め込み、ネジ２０の頭部２４を目隠ししても良い。
【００３１】
その結果、図５（Ｃ）に示すように、樹脂半体４２ａ，４２ｂにより組立られる第２の商品陳列用フック４０に形成される固定孔７０および固定孔７４のほぼ上半分に、第１の商品吊り下げアーム３０の水平部３２および後端部３３が挿入され且つ固定される。図５（Ｃ）に示すように、上記アーム３０を固定した上記フック４０の掛かり部５０ａ，５０ｂを、太径のワイヤからなる複数の水平線７６および複数の垂直線７８を格子状に接合したネットにおける何れかの水平線７６に引っ掛けて支持する。この際、上記フック４０の前記縦溝５２ａ，５２ｂ間および縦溝５５ａ，５５ｂ間に上記水平線７６に近接する垂直線７８を挿入する。尚、固定孔７２の開口部を図示しない円盤形状のキャップで閉塞しても良い。
【００３２】
そして、上アーム３０の水平部３２に、図示しない多数の商品のパケッージまたは商品自体の上端に設けた鈎部を引っ掛けて吊り下げる。これによって、第１のアーム３０の水平部３２に多数の商品を吊り下げつつ陳列できる。また、先端の傾斜部３１に前述した表示体を取り付けても良い。更に、上記フック４０を形成する樹脂半体４２ａ，４２ｂや上記アーム３０の表面を形成する前記合成樹脂３４を同じ色彩か、同様な色彩、あるいは互いに反対色にして塗り分けることにより、当該売場の販売コンセプトを明確に顧客に訴求することも可能となる。
尚、第１の商品吊り下げアーム３０を、樹脂半体４２ｂの凹溝６０ｂに先に挿入した後、その接合面４５ｂに樹脂半体４２ａの接合面４５ａを接触させ且つをネジ結合するようにしても良い。
【００３３】
次に、前記第２の商品吊り下げアーム３６を第２の商品陳列用フック４０に固定する場合について、図６（Ａ），（Ｂ）に基づいて説明する。
例えば、図６（Ａ）に示すように、先ず、樹脂半体４２ａの凹溝６０ａにおける上水平部６２、下水平部６４、および垂直部６６に、第２の商品吊り下げアーム３０の水平部３２，３８の後端寄りおよび後端部３９を挿入する。次に、当該樹脂半体４２ａの接合面４５ａに樹脂半体４２ｂの接合面４５ｂを面接触させると共に、前者の上下の前記凹所６８に、後者の上下の前記凸片６９を個別に嵌合して位置決めする。次いで、前記ネジ２０の雄ネジ部２２を、樹脂半体４２ａの外側面４４ａから通し孔５７などに挿通した後、樹脂半体４２ｂの雌ネジ孔６７にネジ結合する。この際、樹脂半体４２ａの段部５９に、蓋を嵌め込んでも良い。
【００３４】
その結果、図６（Ｂ）に示すように、樹脂半体４２ａ，４２ｂにより組立られる第２の商品陳列用フック４０に形成される固定孔７０，７２、および固定孔７４に、第２の商品吊り下げアーム３０の水平部３２，３８の後端寄りおよび後端部３９が挿入され且つ固定される。図６（Ｂ）に示すように、上記アーム３６を固定した上記フック４０の掛かり部５０ａ，５０ｂを、ネットにおける水平線７６に引っ掛けて支持する。この際、上記フック４０の前記縦溝５２ａ，５２ｂ間および縦溝５５ａ，５５ｂ間に上記水平線７６に近接する垂直線７８を挿入する。
そして、下側の水平部３２に図示しない多数の商品のパケッージなどの上端に設けた鈎部を引っ掛けて吊り下げると共に、上側の傾斜部３７に上記商品の名称や価格などを表示する板状の表示体を取り付ける。あるいは、上側の水平部３８に高さの小さな商品を併せて吊り下げる。これにより、第２のアーム３６における水平部３２，３８に多数の商品を吊り下げつつ陳列でき、上側の傾斜部３７の付近で商品の案内が可能となる。
【００３５】
以上のような第２の商品陳列用フック４０によれば、これを形成する樹脂半体４２ａ，４２ｂにおけるコの字形の凹溝６０ａ，６０ｂ間に、第１の商品吊り下げ用アーム３０または第２の商品吊り下げ用アーム３６を選択して挟持することにより、１本の水平部３２または２本の水平部３２，３８を選択して、前記ネットの水平線７６に掛けて支持することができる。
このため、従来に比べて在庫すべき部品数を低減でき、製造工数およびコストを減らせる。しかも、フック４０を形成する樹脂半体４２ａ，４２ｂ全体がほぼ合成樹脂からなるため、軽量で任意の着色や模様付けが可能となる。従って、上記第１のアーム３０および第２のアーム３６を選択することで、商品配列や売場の商品構成を容易に変更でき、売場毎の販売コンセプトにも容易に対応できる。
尚、第２の商品陳列用フック４０にも、上記アーム３０，３６の他、従来同様の細長い棒鋼を曲げ加工し、且つメッキ処理したものも使用しても良い。また、上記フック４０の前記縦溝５２ａ，５２ｂ，５５ａ，５５ｂは省いても良い。
【００３６】
本発明は、以上において説明した各形態に限定されるものではない。
例えば、第１および第２の商品陳列用フック１，４０における第１の凹溝１０ａ，１０ｂや凹溝６０ａ，６０ｂの上・下水平部６２，６４は、水平方向に対してやや傾斜しても良く、第２の凹溝１２ａ，１２ｂや凹溝６０の垂直部６６は、垂直方向に対して同様に傾斜しても良い。
また、第１・第２の商品吊り下げ用アーム３０，３６の金属棒３５を被覆する合成樹脂３４は、断面円形の形状に限らず、上部が断面半円形で下部が断面角形のかまぼこ形断面としたり、全体の断面が四角形、六角形、八角形などの多角形にすることも可能である。これに応じて、前記凹溝１０ａ，１０ｂや凹溝６０ａ，６０ｂなどの断面形状も、上記各断面形状とほぼ相似形の断面形状にされる。
更に、本発明の商品吊り下げ用アームは、前記第１および第２のアーム３０，３６に限らず、前記傾斜部３１，３７、水平部３２，３８、および後端部３３，３９を含むと共に、前記合成樹脂３４および金属棒３５からなる２重構造を有するものであれば、その他の形態も含まれる。
また、樹脂半体２ａ，２ｂ，４２ａ，４２ｂは、前記ネジ２０と同様なボルトを用いて互いに結合しても良い。
【図面の簡単な説明】
【図１】（Ａ）〜（Ｃ）は本発明の第１の商品陳列用フックの斜視図、平面図、または底面図、（Ｄ）は（Ａ）中のＤ−Ｄ線に沿った矢視の部分断面図、（Ｅ）は（Ｄ）の位置での分解図、（Ｅ）は上記フックの分解斜視図。
【図２】（Ａ）は上記フックにおける一方の樹脂半体を示す側面図、（Ｂ）は第１の商品吊り下げ用アームの斜視図、（Ｃ）は（Ｂ）中のＣ−Ｃ線に沿った矢視における拡大断面図、（Ｄ），（Ｅ）は上記第１のアームを上記フックに支持する状態を示す側面図または斜視図。
【図３】（Ａ）は第２の商品吊り下げ用アームの斜視図、（Ｂ），（Ｃ）は上記フックに第２のアームを支持する状態を示す側面図または斜視図。
【図４】（Ａ），（Ｂ）は本発明の第２の商品陳列用フックの異なる角度における斜視図、（Ｃ）は上記フックのうち一方の樹脂半体の側面図、（Ｄ）は（Ａ）中のＤ−Ｄ線に沿った矢視における部分断面図、（Ｅ）は（Ｄ）の位置での分解図。
【図５】（Ａ）は第２の商品陳列用フックの分解斜視図、（Ｂ），（Ｃ）は係るフックに第１の商品吊り下げ用アームを支持する状態を示す側面図または斜視図。
【図６】（Ａ），（Ｂ）は第２の商品陳列用フックに第２の商品吊り下げ用アームを支持する状態を示す側面図または斜視図。
【図７】（Ａ）〜（Ｄ）は従来の商品陳列具を示す側面図、（ｃ）は（Ｃ）の商品陳列具におけるベース板付近を示す斜視図。
【符号の説明】
１，４０………………………商品陳列用フック
２ａ，２ｂ，４２ａ，４２ｂ…樹脂半体
３ａ，３ｂ，４３ａ，４３ｂ…正面
５ａ，５ｂ，４５ａ，４５ｂ…接合面
６ａ，６ｂ……………………上面
９，９ａ，９ｂ………………凹部
１０ａ…………………………第１の凹溝
１２ａ…………………………第２の凹溝
１３，６９……………………凸片
１５，６８……………………凹所
２０……………………………ネジ
２６……………………………金属補強板
２９……………………………バー材
３０，３６……………………商品吊り下げ用アーム
３１，３７……………………傾斜部
３２，３８……………………水平部
３３，３９……………………後端部
３４……………………………合成樹脂
３５……………………………金属棒
６０ａ，６０ｂ………………凹溝
７６……………………………ネットの水平線
【図１】
2004073526.tif 000003
【図２】
2004073526.tif 000004
【図３】
2004073526.tif 000005
【図４】
2004073526.tif 000006
【図５】
2004073526.tif 000007
【図６】
2004073526.tif 000008
【図７】
2004073526.tif 000009